【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】
少なくとも回転速度可変の圧縮機、室外熱交換器、室外熱交換器用送風機、室外熱交換器用送風機の回転数を可変する室外熱交換器用送風機回転数可変手段を有する室外機と、
少なくとも室内熱交換器、室内の温湿度を検出する温湿度検出手段、室内の温湿度を設定する温湿度設定手段を有する室内機と、を備えた空気調和装置であって、
前記温湿度検出手段により検出された室内の温湿度と前記温湿度設定手段により設定された温湿度設定値の差に基づく潜熱負荷と顕熱負荷の各負荷比率に応じて、前記圧縮機の回転速度または前記室外熱交換器用送風機の回転数を制御し、室内の温湿度を温湿度設定値に近づけることを特徴とする空気調和装置。
【請求項２】
回転速度可変の圧縮機、四方弁、室外熱交換器、室外熱交換器用送風機、室外熱交換器用送風機の回転数を可変する室外熱交換器用送風機回転数可変手段、室外絞り機構を有する室外機と、
第１の室内熱交換器、第２の室内熱交換器、第１の室内熱交換器と第２の室内熱交換器の間に設けられた室内絞り機構および再熱除湿用電磁弁、室内の温湿度を検出する温湿度検出手段、室内の温湿度を設定する温湿度設定手段を有する室内機とを備え、
前記回転速度可変の圧縮機から吐出される冷媒を四方弁、室外熱交換器、室外絞り機構、第１の室内熱交換器、第２の室内熱交換器を通じて流す空気調和装置であって、
前記温湿度検出手段により検出された室内の温湿度と前記温湿度設定手段により設定された温湿度設定値の差に基づく潜熱負荷と顕熱負荷の各負荷比率に応じて、前記圧縮機の回転速度または前記室外熱交換器用送風機の回転数を制御し、室内の温湿度を温湿度設定値に近づけることを特徴とする空気調和装置。
【請求項３】
前記温湿度検出手段による室内の温湿度と前記温湿度設定手段による温湿度設定値とから定まる目標とする顕熱比と、空気調和装置の運転中の顕熱比とを比較し、運転中の顕熱比の顕熱成分を前記第１の室内熱交換器の凝縮温度に基づき、同潜熱成分を前記第２の室内熱交換器の蒸発温度に基づきそれぞれ制御してこの両成分の合成ベクトルを可変させ、室内の温湿度を温湿度設定値に近づけることを特徴とする請求項２記載の空気調和装置。
【請求項４】
湿球温度検出手段もしくはこの温湿度検出手段から湿球温度を演算する手段と、湿球温度設定手段もしくはこの湿球温度設定手段から湿球温度設定値を演算する手段とを備え、湿球温度検出値と湿球温度設定値との差が所定値以上の場合に、前記圧縮機の回転速度を制御することを特徴とする請求項１から請求項３のいずれかに記載の空気調和装置。
【請求項５】
温湿度設定値に対する室内温湿度の変動範囲を複数のゾーンに分け、前記室内絞り機構を通じて冷媒を流す再熱除湿運転と、前記室内絞り機構を通さない冷房運転とを、前記ゾーン区分に基づき切替えて運転することを特徴とする請求項２から請求項４のいずれかに記載の空気調和装置。
【請求項６】
前記室内機に前記第１の室内熱交換器への配管温度を検出する第１の室内熱交換器配管温度センサーと、前記第２の室内熱交換器への配管温度を検出する第２の室内熱交換器配管温度センサーとを備え、前記凝縮温度を前記第１の室内熱交換器配管温度センサーから、前記蒸発温度を前記第２の室内熱交換器配管温度センサーから検出することを特徴とする請求項３から請求項５のいずれかに記載の空気調和装置
【請求項７】
前記室外熱交換器用送風機の回転数を制御することにより前記凝縮温度を制御することを特徴とする請求項３から請求項６のいずれかに記載の空気調和装置。
【請求項８】
前記室外熱交換器用送風機回転数可変手段による前記室外熱交換器用送風機の回転数制御は、室外機の電子部品を冷却するに要する回転数以下には下げないことを特徴とする請求項１から請求項７のいずれかに記載の空気調和装置。
【請求項９】
前記圧縮機から吐出された冷媒を前記第１の室内熱交換器へ流入させる吐出バイパス弁を有するバイパス回路を備えたことを特徴とする請求項２から請求項８のいずれかに記載の空気調和装置。
【請求項１０】
前記第２室内熱交換器配管温度センサーにより検出される前記第２の室内熱交換器への配管温度による冷凍サイクル蒸発温度の設定値を、前記機器側顕熱比を低減する所定の温度以上にすることを特徴とする請求項６から請求項９のいずれかに記載の空気調和装置。
【手続補正２】
【補正対象書類名】明細書
【補正対象項目名】０００５
【補正方法】変更
【補正の内容】
【０００５】
【課題を解決するための手段】
この発明に係る空気調和装置においては、少なくとも回転速度可変の圧縮機、室外熱交換器、室外熱交換器用送風機、室外熱交換器用送風機の回転数を可変する室外熱交換器用送風機回転数可変手段を有する室外機と、少なくとも室内熱交換器、室内の温湿度を検出する温湿度検出手段、室内の温湿度を設定する温湿度設定手段を有する室内機と、を備えて、前記温湿度検出手段により検出された室内の温湿度と前記温湿度設定手段により設定された温湿度設定値の差に基づく潜熱負荷と顕熱負荷の各負荷比率に応じて、前記圧縮機の回転速度または前記室外熱交換器用送風機の回転数を制御し、室内の温湿度を温湿度設定値に近づけるものである。
【手続補正３】
【補正対象書類名】明細書
【補正対象項目名】０００６
【補正方法】変更
【補正の内容】
【０００６】
また、回転速度可変の圧縮機、四方弁、室外熱交換器、室外熱交換器用送風機、室外熱交換器用送風機の回転数を可変する室外熱交換器用送風機回転数可変手段、室外絞り機構を有する室外機と、第１の室内熱交換器、第２の室内熱交換器、第１の室内熱交換器と第２の室内熱交換器の間に設けられた室内絞り機構および再熱除湿用電磁弁、室内の温湿度を検出する温湿度検出手段、室内の温湿度を設定する温湿度設定手段を有する室内機とを備え、前記回転速度可変の圧縮機から吐出される冷媒を四方弁、室外熱交換器、室外絞り機構、第１の室内熱交換器、第２の室内熱交換器を通じて流す空気調和装置であって、
前記温湿度検出手段により検出された室内の温湿度と前記温湿度設定手段により設定された温湿度設定値の差に基づく潜熱負荷と顕熱負荷の各負荷比率に応じて、前記圧縮機の回転速度または前記室外熱交換器用送風機の回転数を制御し、室内の温湿度を温湿度設定値に近づけるものである。
【手続補正４】
【補正対象書類名】明細書
【補正対象項目名】０００７
【補正方法】変更
【補正の内容】
【０００７】
さらに、前記温湿度検出手段による室内の温湿度と前記温湿度設定手段による温湿度設定値とから定まる目標とする顕熱比と、空気調和装置の運転中の顕熱比とを比較し、運転中の顕熱比の顕熱成分を前記第１の室内熱交換器の凝縮温度に基づき、同潜熱成分を前記第２の室内熱交換器の蒸発温度に基づきそれぞれ制御してこの両成分の合成ベクトルを可変させ、室内の温湿度を温湿度設定値に近づけるものである。
【手続補正５】
【補正対象書類名】明細書
【補正対象項目名】０００８
【補正方法】変更
【補正の内容】
【０００８】
また、湿球温度検出手段もしくはこの温湿度検出手段から湿球温度を演算する手段と、湿球温度設定手段もしくはこの湿球温度設定手段から湿球温度設定値を演算する手段とを備え、湿球温度検出値と湿球温度設定値との差が所定値以上の場合に、前記圧縮機の回転速度を制御するものである。
【手続補正６】
【補正対象書類名】明細書
【補正対象項目名】０００９
【補正方法】変更
【補正の内容】
【０００９】
また、温湿度設定値に対する室内温湿度の変動範囲を複数のゾーンに分け、前記室内絞り機構を通じて冷媒を流す再熱除湿運転と、前記室内絞り機構を通さない冷房運転とを、前記ゾーン区分に基づき切替えて運転するものである。
【手続補正７】
【補正対象書類名】明細書
【補正対象項目名】００１０
【補正方法】変更
【補正の内容】
【００１０】
また、前記室内機に前記第１の室内熱交換器への配管温度を検出する第１の室内熱交換器配管温度センサーと、前記第２の室内熱交換器への配管温度を検出する第２の室内熱交換器配管温度センサーとを備え、前記凝縮温度を前記第１の室内熱交換器配管温度センサーから、前記蒸発温度を前記第２の室内熱交換器配管温度センサーから検出するものである。
【手続補正８】
【補正対象書類名】明細書
【補正対象項目名】００１１
【補正方法】変更
【補正の内容】
【００１１】
また、前記室外熱交換器用送風機の回転数を制御することにより前記凝縮温度を制御するものである。
【手続補正９】
【補正対象書類名】明細書
【補正対象項目名】００１２
【補正方法】変更
【補正の内容】
【００１２】
また、前記室外熱交換器用送風機回転数可変手段による前記室外熱交換器用送風機の回転数制御は、室外機の電子部品を冷却するに要する回転数以下には下げないものである。
【手続補正１０】
【補正対象書類名】明細書
【補正対象項目名】００１３
【補正方法】変更
【補正の内容】
【００１３】
また、前記圧縮機から吐出された冷媒を前記第１の室内熱交換器へ流入させる吐出バイパス弁を有するバイパス回路を備えたものである。
【手続補正１１】
【補正対象書類名】明細書
【補正対象項目名】００１４
【補正方法】変更
【補正の内容】
【００１４】
また、前記第２室内熱交換器配管温度センサーにより検出される前記第２の室内熱交換器への配管温度による冷凍サイクル蒸発温度の設定値を、前記機器側顕熱比を低減する所定の温度以上にするものである。
【手続補正１２】
【補正対象書類名】明細書
【補正対象項目名】００３４
【補正方法】変更
【補正の内容】
【００３４】
ステップＳ３では、除湿運転中の第１室内熱交換器２４の配管温度センサー１９による凝縮温度値ＣＴと、第２室内熱交換器２３の入口配管温度センサー２０による蒸発温度値ＥＴを読み込む。ステップＳ４では、目標ＳＨＦ＊の値を設定温湿度Ｓ（Ｔｓ，Ｘｓ）と室内吸込み空気温湿度Ｉ（Ｔｉ，Ｘｉ）により求める。
求める式は、
ＳＨＦ＊＝Ｃｐ（Ｔｉ−Ｔｓ）／（Ｃｐ（Ｔｉ−Ｔｓ）＋Ｃｖ（Ｘｉ−Ｘｓ））
を使用する。
ここでＣｐ（Ｔｉ−Ｔｓ）は顕熱を、Ｃｖ（Ｘｉ−Ｘｓ）は潜熱をそれぞれ示す。Ｃｐ：［ｋｃａｌ／ｋｇ´・℃］は乾き空気の定圧比熱、Ｃｖ：［ｋｃａｌ／ｋｇ］は湿り空気の潜熱を示す。Ｘｉの単位は［ｋｇ／ｋｇ´］である。
【手続補正１３】
【補正対象書類名】明細書
【補正対象項目名】００５１
【補正方法】変更
【補正の内容】
【００５１】
少なくとも回転速度可変の圧縮機、室外熱交換器、室外熱交換器用送風機、室外熱交換器用送風機の回転数を可変する室外熱交換器用送風機回転数可変手段を有する室外機と、少なくとも室内熱交換器、室内の温湿度を検出する温湿度検出手段、室内の温湿度を設定する温湿度設定手段を有する室内機と、を備えて、前記温湿度検出手段により検出された室内の温湿度と前記温湿度設定手段により設定された温湿度設定値の差に基づく潜熱負荷と顕熱負荷の各負荷比率に応じて、前記圧縮機の回転速度または前記室外熱交換器用送風機の回転数を制御し、室内の温湿度を温湿度設定値に近づけるので、所要の室内顕熱比ＳＨＦ可変運転が可能となり、温度も湿度も目標設定値に近づけることが可能となり、快適性が向上できる。
【手続補正１４】
【補正対象書類名】明細書
【補正対象項目名】００５２
【補正方法】変更
【補正の内容】
【００５２】
また、回転速度可変の圧縮機、四方弁、室外熱交換器、室外熱交換器用送風機、室外熱交換器用送風機の回転数を可変する室外熱交換器用送風機回転数可変手段、室外絞り機構を有する室外機と、第１の室内熱交換器、第２の室内熱交換器、第１の室内熱交換器と第２の室内熱交換器の間に設けられた室内絞り機構および再熱除湿用電磁弁、室内の温湿度を検出する温湿度検出手段、室内の温湿度を設定する温湿度設定手段を有する室内機とを備え、前記回転速度可変の圧縮機から吐出される冷媒を四方弁、室外熱交換器、室外絞り機構、第１の室内熱交換器、第２の室内熱交換器を通じて流す空気調和装置であって、前記温湿度検出手段により検出された室内の温湿度と前記温湿度設定手段により設定された温湿度設定値の差に基づく潜熱負荷と顕熱負荷の各負荷比率に応じて、前記圧縮機の回転速度または前記室外熱交換器用送風機の回転数を制御し、室内の温湿度を温湿度設定値に近づけるので、所要の室内顕熱比ＳＨＦ可変運転が可能となり、温度も湿度も目標設定値に近づけることが可能となり、快適性が向上できる。
【手続補正１５】
【補正対象書類名】明細書
【補正対象項目名】００５３
【補正方法】変更
【補正の内容】
【００５３】
さらに、前記温湿度検出手段による室内の温湿度と前記温湿度設定手段による温湿度設定値とから定まる目標とする顕熱比と、空気調和装置の運転中の顕熱比とを比較し、運転中の顕熱比の顕熱成分を前記第１の室内熱交換器の凝縮温度に基づき、同潜熱成分を前記第２の室内熱交換器の蒸発温度に基づきそれぞれ制御してこの両成分の合成ベクトルを可変させ、室内の温湿度を温湿度設定値に近づけるので、所要の室内顕熱比ＳＨＦ可変運転が可能となり、温度も湿度も目標設定値に近づけることが可能となり、快適性が向上できる。
【手続補正１６】
【補正対象書類名】明細書
【補正対象項目名】００５４
【補正方法】変更
【補正の内容】
【００５４】
また、湿球温度検出手段もしくはこの温湿度検出手段から湿球温度を演算する手段と、湿球温度設定手段もしくはこの湿球温度設定手段から湿球温度設定値を演算する手段とを備え、湿球温度検出値と湿球温度設定値との差が所定値以上の場合に、前記圧縮機の回転速度を制御するので、空気調和負荷に応じた運転が正確にでき、ハンチングなく快適性を向上でき、圧縮機に対する信頼性が上がる。
【手続補正１７】
【補正対象書類名】明細書
【補正対象項目名】００５５
【補正方法】変更
【補正の内容】
【００５５】
また、温湿度設定値に対する室内温湿度の変動範囲を複数のゾーンに分け、前記室内絞り機構を通じて冷媒を流す再熱除湿運転と、前記室内絞り機構を通さない冷房運転とを、前記ゾーン区分に基づき切替えて運転するので、所要の室内ＳＨＦ可変運転ができ、温度と湿度の両目標値に近づけることが可能となり、快適性が向上する。
【手続補正１８】
【補正対象書類名】明細書
【補正対象項目名】００５６
【補正方法】変更
【補正の内容】
【００５６】
また、前記室内機に前記第１の室内熱交換器への配管温度を検出する第１の室内熱交換器配管温度センサーと、前記第２の室内熱交換器への配管温度を検出する第２の室内熱交換器配管温度センサーとを備え、前記凝縮温度を前記第１の室内熱交換器配管温度センサーから、前記蒸発温度を前記第２の室内熱交換器配管温度センサーから検出するので、除湿運転中の顕熱比ＳＨＦが検知でき、所望のＳＨＦに対し、室外熱交換器用送風機回転数を上げるか下げるか判断でき、これによって、目的とするＳＨＦを実現可能となり、温湿度共快適となる。
【手続補正１９】
【補正対象書類名】明細書
【補正対象項目名】００５７
【補正方法】変更
【補正の内容】
【００５７】
また、前記室外熱交換器用送風機の回転数を制御することにより前記凝縮温度を制御するので、室内の温湿度の目標設定値に対して、ＳＨＦを制御目標にできるので、高温多湿でも梅雨時の低温多湿時でも、除湿量が自由に制御でき快適性の向上が図れる。
【手続補正２０】
【補正対象書類名】明細書
【補正対象項目名】００５８
【補正方法】変更
【補正の内容】
【００５８】
また、前記室外熱交換器用送風機回転数可変手段による前記室外熱交換器用送風機の回転数制御は、室外機の電子部品を冷却するに要する回転数以下には下げないので、室外機にある電子機器の冷却が実行でき、電子機器の性能劣化を防止できる。
【手続補正２１】
【補正対象書類名】明細書
【補正対象項目名】００５９
【補正方法】変更
【補正の内容】
【００５９】
また、前記圧縮機から吐出された冷媒を前記第１の室内熱交換器へ流入させる吐出バイパス弁を有するバイパス回路を備えたもので、暖房ぎみ除湿を可能とし、室内気温が低い条件においても快適な室内温湿度環境を実現することができる。
【手続補正２２】
【補正対象書類名】明細書
【補正対象項目名】００６０
【補正方法】変更
【補正の内容】
【００６０】
また、前記第２室内熱交換器配管温度センサーにより検出される前記第２の室内熱交換器への配管温度による冷凍サイクル蒸発温度の設定値を、前記機器側顕熱比を低減する所定の温度以上にするので、顕熱比の低減を確保できる。